(57)【要約】【課題】  内容物の注出通路を最後まで形成すると共に、潰れ変形しない内層部分を外部から目視できるようにすることにより、容器の外観体裁を害することなく、容器外部から内容物の残量を目視で認識できるようにする。【解決手段】  不透明な外層２と、外層２と剥離自在に積層され透明もしくは半透明な内層４と、外層２と内層４とを接着固定する縦帯状の透明もしくは半透明な接着層７と、接着層７を避けて外層２に開設された吸気部９とから構成され、接着層７が接着する外層２の部分を、透明もしくは半透明な窓壁部３とし、この窓壁部３から容器１内の内容物Ｎの残量を視認できるようにした。【選択図】図１
2005145544.tif 000002
【特許請求の範囲】
【請求項１】
定形の外殻を形成する合成樹脂製の不透明な外層（２）と、該外層（２）と剥離自在に積層され、内袋を形成する可撓性合成樹脂製の透明もしくは半透明な内層（４）と、前記外層（２）と内層（４）とを、全高さ範囲に亘って接着固定する、縦帯状の透明もしくは半透明な接着層（７）と、該接着層（７）を避けた外層（２）部分に開設された吸気部（９）とから構成され、前記接着層（７）と接着する外層（２）部分の少なくとも一部を、透明もしくは半透明な窓壁部（３）としたブロー成形容器。
【請求項２】
窓壁部（３）を、容器（１）の胴部（８）の下端部に位置させた請求項１記載のブロー成形容器。
【請求項３】
窓壁部（３）が接着する接着層（７）の横幅を、内容物（Ｎ）の粘度の大小に応じて比例的に設定した請求項１または２記載のブロー成形容器。
【請求項４】
容器（１）の中心軸に対して対称に配置された一対の接着層（７）の一方を、窓壁部（３）に接着させた請求項１、２または３記載のブロー成形容器。
【発明の詳細な説明】
【技術分野】
【０００１】
本発明は、定形の外殻を形成する外層内に、可撓性に富んだ内袋を形成する内層を剥離自在に積層形成し、外観形状を変化させることなく、内容物の注出を可能とした合成樹脂製積層ブロー成形容器に関するものである。
【背景技術】
【０００２】
定形の外殻を形成する外層内に、可撓性に富んだ内袋を形成する内層を剥離自在に積層して構成した、一般にデラミボトルと称されるブロー成形壜体である、合成樹脂製積層ブロー成形容器が知られている。
【０００３】
この合成樹脂製積層ブロー成形容器は、相溶性の殆どない外層パリソンと内層パリソンとを共押出しで積層パリソンに押出し成形し、この積層パリソンをブロー成形してブロー成形品を得、このブロー成形品の外層の一部に、内層の円滑な潰れ変形が得られるように、外層と内層との間に外気を侵入させるための吸気部を開設して構成される。
【０００４】
そして、この合成樹脂製積層ブロー成形容器には、その口部に逆止弁付きの注出機能部品、例えばポンプが組付けられ、このポンプを操作して、内層内の内容物を、内層内に外気を侵入させずに、内層を潰し変形させながら、注出する。
【０００５】
この内容物の注出に伴う内層の潰れ変形は一定したものではなく、このため場合によっては、ポンプによる内容物の吸上げを不能とする状態に変形してしまう、と云う不都合が発生する。
【０００６】
この不都合の発生を防止する従来技術として、外層と内層との間を、その全高さ範囲に亘って、縦帯状の接着層で接着固定し、この接着層で外層に固定された内層部分である不動部を、内層の変形規制部分として、潰れ変形形態を、内容物の移動を確保できるものとすると共に、内容物の移動通路形成部分としたものが知られている。
【特許文献１】特開平０８−００１７６１号公報
【０００７】
また、この特許文献１にあっては、潰れ変形した内層の外観体裁が不体裁であるので、少なくとも外層を不透明として、潰れ変形した内層が容器の外観として表れることがないようにしている。
【発明の開示】
【発明が解決しようとする課題】
【０００８】
この特許文献１に開示された従来技術にあっては、確かに内容物を殆ど最後まで円滑に注出することができ、かつ潰れ変形した内層が容器の外観を害することがないのであるが、内容物の使い切り時期を、略正確に判断することができるように、容器の外観体裁を害することなく、容器外部から目視により内容物の残量を認識可能とすることが望まれている。
【０００９】
そこで、本発明は、上記した従来技術における要望を満たすべく創案されたもので、内容物の注出通路を最後まで形成すると共に、潰れ変形しない内層部分を外部から目視できるようにすることを技術的課題とし、もって容器の外観体裁を害することなく、容器外部から内容物の残量を目視で認識できるようにすることを目的とする。
【課題を解決するための手段】
【００１０】
上記技術的課題を解決する本発明の内、請求項１記載の発明に手段は、
定形の外殻を形成する合成樹脂製の不透明な外層と、この外層と剥離自在に積層され、内袋を形成する可撓性合成樹脂製の透明もしくは半透明な内層と、外層と内層とを、全高さ範囲に亘って接着固定する、縦帯状の透明もしくは半透明な接着層と、この接着層を避けた外層部分に開設された吸気部とから構成されること、
接着層と接着する外層部分の少なくとも一部を、透明もしくは半透明な窓壁部としたこと、
にある。
【００１１】
この請求項１記載の発明にあっては、接着層が接着する外層の少なくとも一部を、透明もしくは半透明な窓壁部としたので、この窓壁部は、透明もしくは半透明な接着層および、潰れ変形不能となっている内層部分である不動部に対向位置することになる。
【００１２】
このように、透明もしくは半透明な窓壁部、接着層そして内層の不動部が、不動に重なり合って位置するので、容器外部から、窓壁部を透して内層の不動部に位置している内容物を視認することができる。
【００１３】
外層に接着固定している内層の不動部は、最後まで内容物の通路を形成する部分であるので、この内層の不動部に位置している内容物の状態を観察することにより、内容物の残量をほぼ正確に判断することができる。
【００１４】
また、容器外部から目視される内層の不動部は、外層への接着固定により潰れ変形不能となった部分であるので、潰れ変形した内層部分である非接着部が直接に観察されることはなく、このため潰れ変形した非接着部の不体裁が、容器の外観として観察されることはない。
【００１５】
請求項２記載の発明は、請求項１記載の発明の構成に、窓壁部を、容器の胴部の下端部に位置させたこと、を加えたものである。
【００１６】
この請求項２記載の発明にあっては、透明もしくは半透明な窓壁部を、容器の胴部の下端部に制限して位置させるので、容器の外観体裁に対する窓壁部の影響の程度が小さくなる。
【００１７】
特に、内容物が最後まで残留位置する胴部の下端部に窓壁部を位置させているので、内容物の少なくなった残量を略正確に観察できる。
【００１８】
請求項３記載の発明は、請求項１または２記載の発明の構成に、窓壁部が接着する接着層の横幅を、内容物の粘度の大小に応じて比例的に設定したこと、を加えたものである。
【００１９】
この請求項３記載の発明にあっては、接着層の横幅を大きくすると、その分、接着層に接着した内層の接着部が形成する内容物の通路の横幅が大きくなり、大きな流路断面積を得ることができて、粘度の大きい内容物でも円滑に注出することができるのであるが、内容物の残量が減少すると、通路の径方向に沿った厚みが比較的早く減少するので、この通路の径方向に沿った厚みの減少変化に伴う、窓壁部から見える内容物の状態変化により、例え粘度の大きい内容物であっても、その残量程度を、比較的正確に判断することが可能である。
【００２０】
請求項４記載の発明は、請求項１、２または３記載の発明の構成に、容器の中心軸に対して対称に配置された一対の接着層の一方を、窓壁部に接着させたこと、を加えたものである。
【００２１】
この請求項４記載の発明にあっては、内層を略一定した状態で扁平に潰れ変形させることができるので、外層に固定した内層の不動部が安定して通路を形成することになり、これにより内容物の残量が、窓壁部が対向する通路部分に確実に位置することになる。
【発明の効果】
【００２２】
本発明は、上記した構成となっているので、以下に示す効果を奏する。
請求項１記載の発明にあっては、透明もしくは半透明な窓壁部、接着層そして最後まで内容物の通路を形成する部分である内層の不動部が、不動に重なり合って位置するので、容器外部から、窓壁部を透して内層の不動部が形成する通路内に位置している内容物を視認することができ、これにより内容物の残量をほぼ正確に判断することができる。
【００２３】
また、容器外部から目視される内層の不動部は、外層への接着固定により潰れ変形不能となった部分であるので、内層の潰れ変形した非接着部が直接に観察されることはなく、このため潰れ変形した非接着部の不体裁が、容器の外観として観察されることはなく、潰れ変形した非接着部が容器の外観体裁を害する恐れがない。
【００２４】
請求項２記載の発明にあっては、透明もしくは半透明な窓壁部が、容器の胴部の下端部に制限して位置するので、容器の外観体裁に対する窓壁部の悪影響の程度を、殆ど無くすことができる。
【００２５】
特に、内容物が最後まで残留位置する胴部の下端部に窓壁部が位置しているので、内容物の少なくなった残量を略正確に判断することができる。
【００２６】
請求項３記載の発明にあっては、粘度の大きい内容物を、最後まで円滑に注出することができると共に、この粘度の大きい内容物の残量を正確に判断することができる。
【００２７】
請求項４記載の発明にあっては、内容物の残量が、窓壁部が対向する通路部分に確実に位置するので、内容物の残量の窓壁部を透しての視認が、確実に達成できる。
【発明を実施するための最良の形態】
【００２８】
以下、本発明の実施形態を、図面を参照しながら説明する。
図１は、口筒部に、組付けキャップ１１により注出ポンプ１０を組付けた、壜体状の本発明による容器１の基本的な構成の一実施形態を示すもので、容器１は、外殻体を形成する外層２と、外層２に剥離自在に積層された、撓み変形が自在な袋状の内層４と、容器１の全高さ範囲に亘って設けられた縦帯状の一対の接着層７とを積層させてブロー成形したもので、一方の接着層７が接着する外層２部分を窓壁部３として構成されている。
【００２９】
外層２は、ポリエチレン、ポリプロピレン等の合成樹脂材料で、必要とする自己形状保持能力を持った外殻体として構成され、窓壁部３以外の全部を、不透明としている。
【００３０】
内層４は、ナイロン、エチレンビニルアルコール共重合体、ポリエチレンテレフタレート等の外層２に対して相溶性の低い合成樹脂材料で充分に薄肉に成形され、その全体を透明もしくは半透明としている。
【００３１】
外層２および内層４に対して充分な接着性を発揮する接着性合成樹脂材で成形された接着層７は、その全体が透明もしくは半透明であり、そして全体が不透明である外層２は、その一部である窓壁部３だけを、透明もしくは半透明としている。
【００３２】
このように、透明もしくは半透明な窓壁部３は、透明もしくは半透明な接着層７および内層４と重合して位置する（図２参照）ので、外部から、窓壁部３、接着層７そして内層４の不動部６を透して、容器１の内部を視認することが可能となる。
【００３３】
図１に示すように、接着層７を避けた外層２の口筒部部分には、外気を外層２と内層４との間に侵入させるための吸気部９が開設されているが、この吸気部９は、後加工により設けられているが、容器１の底部のピンチオフ部を底割れさせて形成してもよい。
【００３４】
容器１の胴部８は円筒形状（図２参照）をしていて、一対の接着層７は、中心軸に対して前後に軸対称に位置しており、これにより内層４の外層２に接着していない非接着部５、すなわち外層２から剥離して潰れ変形ができる部分は、左右（図２において、上下）に２等分された状態で位置する。
【００３５】
内層４は、収納した内容物Ｎの注出に従って、左右に２等分された両非接着部５を潰れ変形させるが、両非接着部５の潰れ変形は、両側端に全高さ範囲に亘って不動に位置する不動部６により規制されながら行われるので、略等しい形態で進行する。
【００３６】
このように、内層４の潰れ変形は、外層２に不動に接着した内層４の不動部６を支持箇所として、２等分された両非接着部５が接近して当接し合う形態で進行するので、この不動部６の内側には内容物Ｎが最後まで位置することになる。
【００３７】
この不動部６は、接着層７に沿って形成されるものであるので、容器１の全高さ範囲に亘って形成され、このため不動部６の内側は、残存した内容物Ｎの最後の注出通路を形成することになる。
【００３８】
一方の不動部６は、接着層７を介して窓壁部３と対向しているので、内容物Ｎの残量が少なくなって、不動部６の内側に形成された注出通路の形態が変化する（図３参照）と、この変化を、窓壁部３を透して、濃淡の変化、明暗の変化、もしくは内層４の形態変化として観察でき、これにより内容物Ｎの残量を、ほぼ正確に判断することができる。
【００３９】
図４は、窓壁部３の他の実施形態を示すもので、窓壁部３を胴部８の下端部に制限して設けており、このように窓壁部３の大きさを、内容物Ｎの残量を観察することができる程度に制限することにより、窓壁部３が容器１の外観体裁に与える影響を小さくなるようにしている。
【００４０】
図５は、不動部６を形成する接着層７の他の実施例を示すもので、図３に示した実施例に比べて、接着層７の横幅を、内容物Ｎの粘度の増大に従って、略比例的に設定したものである。
【００４１】
すなわち、内容物Ｎの粘度が大きくなるに従って、接着層７の横幅を大きくすると、内容物Ｎの通路の底面を形成する不動部６の横幅が大きくなり、これにより流路断面積の大きな通路を確保し易くなる。
【００４２】
また、このように形成される通路の底面の幅が大きいので、内容物Ｎの残量が少なくなると、通路の厚み幅である容器１の径方向に沿った幅が、急速に減少し始めるので、この通路の厚み幅の減少程度を観察することにより、内容物Ｎの残量を正確に判断することができる。
【図面の簡単な説明】
【００４３】
【図１】本発明の一実施形態を示す、一部破断した全体外観斜視図である。
【図２】図１に示した実施形態の、胴部平断面図である。
【図３】図２に示した実施形態の、要部拡大平断面図である。
【図４】本発明の他の実施形態を示す、全体外観斜視図である。
【図５】本発明の他の実施形態の、要部拡大平断面図である。
【符号の説明】
【００４４】
１    ；  容器
２    ；  外層
３    ；  窓壁部
４    ；  内層
５    ；  非接着部
６    ；  不動部
７    ；  接着層
８    ；  胴部
９    ；  吸気部
１０    ；  注出ポンプ
１１  ；  組付けキャップ
Ｎ    ；  内容物
【図１】
2005145544.tif 000003
【図２】
2005145544.tif 000004
【図３】
2005145544.tif 000005
【図４】
2005145544.tif 000006
【図５】
2005145544.tif 000007